(57)【特許請求の範囲】
【請求項１】
鉄骨造露出柱脚のベースプレートに設けたボルト孔と、保持具に支持され垂直上向きに立てられたアンカーボルトの上端位置とを合致させ固定するための位置決めプレートにおいて、
ベースプレートに設けたボルト孔の口径はアンカーボルトの上端ネジ部の外径と略等しくされ、該ボルト孔と同心位置のボルト入口側に、ボルト誘導用としてボルト入口側がアンカーボルトよりも大径で中空の円錐台形状をなす傾斜面部を有するボルト孔が必要数設けられていることを特徴とする、露出柱脚アンカーボルトの位置決めプレート。
【請求項２】
ボルト孔のボルト入口側に形成した中空の円錐台形状をなす傾斜面部の上端に返り部を設けていることを特徴とする、請求項１に記載した露出柱脚アンカーボルトの位置決めプレート。
【請求項３】
ボルト孔のボルト入口側に形成した中空の円錐台形状をなす傾斜面部の上端に続いてアンカーボルトの外径と略同じ内径の垂直部を設け、同垂直部の上端に返り部を設けていることを特徴とする、請求項１に記載した露出柱脚アンカーボルトの位置決めプレート。
【請求項４】
垂直部は、アンカーボルトの上端ネジ部のネジピッチの少なくとも１ピッチ分以上の高さであることを特徴とする、請求項３に記載した露出柱脚アンカーボルトの位置決めプレート。
【発明の詳細な説明】
【０００１】
【発明の属する技術分野】
この発明は、鉄骨造露出柱脚において、保持具に支持された各アンカーボルトの上端を、ベースプレートに設けたボルト孔と合致させ固定するために使用するアンカーボルトの位置決めプレートに関する。
【０００２】
【従来の技術】
図１２のような鉄骨造露出柱脚においては、保持具４に支持され垂直上向きに立てられた各アンカーボルト２の上端は、鉄骨造露出柱脚のベースプレートＡに設けたボルト孔Ｂと合致させ固定することが肝要である。よって、基礎コンクリート６を打設する際に、アンカーボルト２の上端ネジ部２ａの位置がずれないようにきっちり位置決め固定する必要がある。
【０００３】
その手段として、従来、保持具に支持された各アンカーボルトの上端をベースプレートに設けられたボルト孔と同心位置に、ボルト孔を必要数設けた位置決めプレートを取り付けることが行われている。例えば、
【０００４】
（１）特公平３−３５４５５号公報に記載されたアンカーボルト定着装置は、図８に例示するように、ベースプレートに設けられたボルト孔と同心位置に、ボルト孔１３を設けた位置決めプレート１２で各アンカーボルトの上端ネジ部をベースプレートに設けたボルト孔と合致させ固定する構成である。
【０００５】
しかし、図８の位置決めプレート１２は、ボルト孔１３の内径がアンカーボルトの上端ネジ部のネジ外径と略同じであると、向きや位置が不揃いの複数本のアンカーボルトの上端ネジ部を同時にボルト孔１３へ通すとき、同プレート１２の肉厚が薄く、各ボルト孔の口縁がネジ山に引っ掛るので、通し難く、作業に手間取る。
【０００６】
また、基礎コンクリートが凝固した後に、アンカーボルトの上端ネジ部から無用となった位置決めプレート１２を抜き取るときも、各ボルト孔１３の口縁がネジ山へ引っ掛かって簡単には抜けない。無理矢理に抜くと、薄い位置決めプレート１２は簡単に変形してしまい、その後の転用ができない場合がある。
【０００７】
かといって、ボルト孔１３の口径を図９に例示するように余裕のある大きさにすると、アンカーボルトの上端ネジ部の外径と、位置決めプレート１２のボルト孔１３の口縁との間に隙間ができ、位置決めプレート１２に本来要求されている機能の位置決め作用が低下し、各アンカーボルト２を同心位置へ正確に決められず、位置誤差（ズレ）が生じやすい。
【０００８】
従来、上記の欠点を解決する手段も研究されている。例えば、
【０００９】
▲２▼  実公平７−４７５２６号公報に記載されたアンカーボルト固定用形板（位置決めプレート）は、図１０に例示したように、位置決めプレート１４のボルト孔１３の部位にのみ肉厚の大きい座金１５を固着し、もって、ボルト孔１３の有効長さをアンカーボルトの上端ネジ部のネジピッチＰ（図９を参照）よりも大きく形成している。従って、アンカーボルトの上端ネジ部へ通すとき又は抜き取る際、ボルト孔１３の口縁がネジ山に引っ掛かる不具合が生ずることなく、スムーズに作業できる。
【００１０】
▲３▼  特開平８−４９３０６号公報に記載されたアンカーボルト定着装置は、図１１に例示したように、位置決めプレート１６の周辺部に各ボルト孔１３から一連に切欠いた切欠部１７を設け、アンカーボルトの上端ネジ部を横方向から入れ込めるように構成されている。
【００１１】
【発明が解決しようとする課題】
上記した従来技術▲２▼の位置決めプレート１４は、ボルト孔１２の有効長さを肉厚の座金１５で確保するもので、位置決めプレート１４に座金１５を固着してボルト孔の孔あけ加工をしなくてはならず、作業工数が嵩みコスト高になる。
【００１２】
上述の従来技術▲３▼の位置決めプレート１６は、ボルト孔１３と切欠部１７を一連に形成する加工をしなければならない上に、基礎コンクリートが凝固した後は各アンカーボルトが不動状態であるため、位置決めプレート１６は真っ直ぐ上方へ抜くほかなく、図８のプレートと同様の問題が残る。
【００１３】
本発明の目的は、向きや位置が不揃いの複数本のアンカーボルトの上端ネジ部をスムーズに通すことができ、しかも同心位置に正確な位置決め作用を期待でき、抜き取るときもネジ部に引っ掛からないでスムーズな作業ができ、変形もしないから転用に適し、製作の作業工数が嵩まない位置決めプレートを提供することである。
【００１４】
【課題を解決するための手段】
上記の課題を解決するための手段として、請求項１記載の発明に係る露出柱脚アンカーボルトの位置決めプレートは、
鉄骨造露出柱脚のベースプレートに設けたボルト孔と、保持具に支持され垂直上向きに立てられたアンカーボルトの上端位置とを合致させ固定するための位置決めプレートにおいて、
ベースプレートＡに設けたボルト孔Ｂの口径はアンカーボルト２の上端ネジ部２ａの外径と略等しくされ、該ボルト孔Ｂと同心位置のボルト入口側に、ボルト誘導用としてボルト入口側がアンカーボルトよりも大径で中空の円錐台形状をなす傾斜面部８を有するボルト孔７が必要数設けられていることを特徴とする。
【００１５】
請求項２記載の発明は、請求項１に記載した露出柱脚アンカーボルトの位置決めプレートにおいて、
ボルト孔のボルト入口側に形成した中空の円錐台形状をなす傾斜面部８の上端に返り部９を設けていることを特徴とする。
【００１６】
請求項３記載の発明は、請求項１に記載した露出柱脚アンカーボルトの位置決めプレートにおいて、
ボルト孔のボルト入口側に形成した中空の円錐台形状をなす傾斜面部８の上端に続いてアンカーボルト２の外径と略同じ内径の垂直部１０を設け、同垂直部１０の上端に返り部９を設けていることを特徴とする。
【００１７】
請求項４記載の発明は、請求項３に記載した露出柱脚アンカーボルトの位置決めプレートにおいて、
垂直部１０は、アンカーボルト２の上端ネジ部２ａのネジピッチの少なくとも１ピッチ分以上の高さであることを特徴とする。
【００１８】
【発明の実施の形態及び実施例】
請求項１〜４記載の発明に係る露出柱脚アンカーボルトの位置決めプレートは、鉄骨造露出柱脚のベースプレートに設けたボルト孔と、保持具に支持され垂直上向きに立てられたアンカーボルトの上端を合致させ固定するために好適に実施される。図１以下は一例として中空箱形状の保持具４の各定着板５にナット３ｃ、３ｄで支持され垂直上向きに立てられたアンカーボルト２への実施形態を示している。
【００１９】
この位置決めプレート１にも、図１２に示すベースプレートＡに設けたボルト孔Ｂと同心位置に、同数のボルト孔７が設けられている。各ボルト孔７は、図２に詳示したようにボルト入口側にボルト誘導用としてボルト入口側がアンカーボルト２より大径で中空の円錐台形状をなす傾斜面部８を有する。
【００２０】
前記傾斜面部８は、公知のバーリング加工法によりボルト孔７の孔あけ加工と同時に簡単、高精度に形成できる。ボルト孔７の口径は、アンカーボルト２の上端ネジ部２ａの外径と略等しいものとする。
【００２１】
従って、この位置決めプレート１を使用すれば、図２から明らかなように、アンカーボルト２の上端ネジ部２ａの向き、位置が多少乱れていても、各上端ネジ部２ａが中空の円錐台形状をなす傾斜面部８の口径の範囲内に位置する限り、位置決めプレート１を水平状態のまま一気に押し下げると、傾斜面部８の誘導作用により各アンカーボルト２の上端ネジ部２ａはボルト孔７へスムーズに導かれて通る（請求項１記載の発明）。
【００２２】
位置決めプレート１をアンカーボルト２の上端ネジ部２ａへ通して、固定する手順としては、予め、各アンカーボルト２の上端ネジ部２ａに下側のナット３ｂを一定位置にねじ込んでおく。
【００２３】
しかる後に前記位置決めプレート１の各ボルト孔７の各傾斜面部８の範囲内にアンカーボルト２の上端ネジ部２ａが納まるように調整を行い、位置決めプレート１を両手で水平状態で押し下げる。
【００２４】
位置決めプレート１が前記下側のナット３ｂへ等しく当たった段階で、上側のナット３ａをねじ込んで締め付け固定する。これで各アンカーボルト２の上端ネジ部２ａを同心位置へ正確に位置決め固定ができる。そこで、図３のように基礎コンクリート６を打設する。基礎コンクリート６を養生し強度を発現した段階で、図４のように上側のナット３ａを外し、位置決めプレート１を抜き取り、下側のナット３ｂも外して鉄骨柱脚を組立てる用意をする。
【００２５】
図２のようにボルト入口側に中空で円錐台形状の傾斜面部８を有するボルト孔７の形成は、前記バーリング加工に限らず、図５のように直交方向に２本の切線１１を交差状に加工した上で、一側面から各切片を突き起こすノックアウト法によっても実施可能である。
【００２６】
ところで、基礎コンクリート６の養生後に用済みとなった位置決めプレート１を、アンカーボルト２から抜き取る作業を考慮すると、図６に示すように各ボルト孔７の傾斜面部８の上端に返り部９を設けることが有効的である。返り部９によってボルト孔７の口縁に丸みができ、アンカーボルト２の上端ネジ部２ａのネジ山に引っ掛かることが無く、抜き取り作業をスムーズにできる（請求項２記載の発明）。
【００２７】
更に、図７に示したように、ボルト孔７の入口側に形成した中空で円錐台形状の傾斜面部８に続いて、アンカーボルト２の上端ネジ部２ａの外径と略等しい内径の垂直部１０を設けると、垂直部１０が各アンカーボルト２の上端ネジ部２ａを同心位置に固定する精度を一層高めることができる（請求項３記載の発明）。
【００２８】
垂直部１０の高さは、上端ネジ部２ａの滑り効果を高めるために、アンカーボルト２の上端ネジ部２ａのネジピッチの１ピッチ以上とする（請求項４記載の発明）。
【００２９】
【発明が奏する効果】
請求項１〜４に記載した発明に係る露出柱脚アンカーボルトの位置決めプレートによれば、各ボルト孔７のボルト入口側にボルト誘導用として、ボルト入口側がアンカーボルト２よりも大径で中空の円錐台形状をなす傾斜面部８を有するものとし、更に返り部９、垂直部１０を設けたので、ボルト孔７の口径をアンカーボルト２の上端ネジ部２ａの外径と略等しく形成して、各アンカーボルト２の上端ネジ部２ａを精度良く同心位置に固定できる。のみならず、無用になった後に抜き取る作業も容易で変形を生じないで済むから、後々の同種作業に転用でき、経済性が高い。
【００３０】
勿論、十分に薄い位置決めプレートを用いることができ、位置決めプレートを製作する際の作業工数を少なくでき、コストの軽減に寄与し、作業効率を向上することが可能である。
【図面の簡単な説明】
【図１】本発明に係る露出柱脚アンカーボルトの位置決めプレートの使用時の立面図である。
【図２】本発明の位置決めプレートのボルト孔部分の拡大図である。
【図３】位置決めプレートを使用して基礎コンクリートを打設した状態の立面図である。
【図４】位置決めプレートを取り外した立面図である。
【図５】ボルト孔として平板にスリットを入れた位置決めプレートを示す実施例の平面図である。
【図６】位置決めプレートの異なる実施形態をボルト孔部分のみ示した断面図である。
【図７】位置決めプレートの異なる実施形態をボルト孔部分のみ示した断面図である。
【図８】従来の位置決めプレートを示した平面図である。
【図９】図８のボルト孔の拡大図である。
【図１０】従来の異なる位置決めプレートの平面図である。
【図１１】従来の更に異なる位置決めプレートの平面図である。
【図１２】鉄骨造露出柱脚の立面図である。
【符号の説明】
Ａ      ベースプレート
Ｂ      ベースプレートのボルト孔
１      位置決めプレート
２      アンカーボルト
２ａ    アンカーボルトの上端（上端ネジ部）
４      アンカーボルト保持具
７      ボルト孔
８      傾斜面部
９      返り部
１０    垂直部
【図１】
0004112121.tif 000002
【図２】
0004112121.tif 000003
【図３】
0004112121.tif 000004
【図４】
0004112121.tif 000005
【図５】
0004112121.tif 000006
【図６】
0004112121.tif 000007
【図７】
0004112121.tif 000008
【図８】
0004112121.tif 000009
【図９】
0004112121.tif 000010
【図１０】
0004112121.tif 000011
【図１１】
0004112121.tif 000012
【図１２】
0004112121.tif 000013